(57)【要約】【課題】  農家と健常な高齢者が各パーツを足場の悪い農地から別の農地へ移設することができ、設置後建築基準法が定める基準以上の構造耐力性能が得られ、営農期には撤去して営農を妨げない田畑間移設用太陽光発電設備を提供する。【解決手段】  本設備は、太陽電池パネル１を保持する枠体２と、枠体２に対して折り畳みうるように固定される一対の折り畳みフレーム３、５を有する。複数のタンク６０を、長辺３４の位置を対称軸として配置して締結し、タンク６０のそれぞれに水を満たして基礎を構成する。太陽電池パネルに作用する荷重を基礎に伝達する溝部を有する一対の基礎プレート７０を介し、基礎と折り畳みフレーム３、５とを取り外し可能に締結する。【選択図】  図６
2015144555.tif 000002
【特許請求の範囲】
【請求項１】
太陽電池パネルと、
前記太陽電池パネルを保持する枠体と、
前記枠体の長手方向線対称に左右一致に配置される一対の基礎と、
前記枠体の長手方向線対称に左右一対で、前記枠体に接する折り畳み位置と、  前記枠体に直交する起立位置とを取りうるように固定される一対の折り畳みフレームとを備える田畑間移設用太陽光発電設備であって、
前記一対の折り畳みフレームのそれぞれは、
前記枠体に設けられるヒンジにより前記枠体に対して軸支される底辺と、
前記底辺に対して所定の傾斜角だけ傾斜して設けられる長辺と、
前記長辺に対して直交し、前記底辺に接続される短辺とを有し、
かつ前記一対の折り畳みフレームのそれぞれは、前記折り畳み位置において前記枠体の厚さ方向に関し前記枠体内に収まり、
前記一対の基礎は、
地面に載置される底面と、前記底面と平行な上面を有する把手と、前記把手の下方にベルトを挿通可能な隙間を有する偶数個のタンクを、前記一対の折り畳みフレームが前記起立位置にあるとき前記長辺の位置を対称軸として近接して配置し、前記偶数個のタンクを横ベルトで締結し、前記偶数個のタンクのそれぞれに水を満たして構成され、
前記田畑間移設用太陽光発電設備は、更に、
前記偶数個のタンクの各上面上に載置され、かつ前記偶数個のタンクの少なくとも一部の前記把手に係合するかぎ脚部を有し、長手方向中央部に前記対称軸に符合して前記長辺に接し、前記太陽電池パネル及び前記枠体に作用する荷重を前記基礎に伝達する溝部を有する一対の基礎プレートと、
前記一対の基礎と前記一対の折り畳みフレームとを取り外し可能に締結する連結ベルトとを有する田畑間移設用太陽光発電設備。
【請求項２】
前記偶数個のタンクのうち、隣接する二つのタンクは縦ベルトで結合され、さらに前記縦ベルトの外側に前記一対の折り畳みフレームへ延びる外延縦ベルトが設けられ、前記連結ベルトは、前記外延縦ベルトを含んで構成される請求項１記載の田畑間移設用太陽光発電設備。
【請求項３】
前記一対の折り畳みフレームは、前記起立位置にあるとき根がらみ材により前記枠体の長手方向に関して連結される請求項１又は２記載の田畑間移設用太陽光発電設備。
【請求項４】
前記一対の折り畳みフレームは、前記起立位置及び前記折り畳み位置のいずれにおいても、前記太陽電池パネルの垂直投影面内に位置する請求項１から３のいずれかに記載の田畑間移設用太陽光発電設備。
【請求項５】
太陽電池パネルと、
前記太陽電池パネルを保持する枠体と、
前記枠体の長手方向線対称に左右一致に配置される一対の基礎と、
前記枠体の長手方向線対称に左右一対で、前記枠体に接する折り畳み位置と前記枠体に直交する起立位置とを取りうるように固定される一対の折り畳みフレームとを備える田畑間移設用太陽光発電設備であって、
前記一対の折り畳みフレームのそれぞれは、
前記枠体に設けられるヒンジにより前記枠体に対して軸支される底辺と、
前記底辺に対して所定の傾斜角だけ傾斜して設けられる長辺と、
前記長辺に対して直交し、前記底辺に接続される短辺とを有し、
かつ前記一対の折り畳みフレームのそれぞれは、前記折り畳み位置において前記枠体の厚さ方向に関し前記枠体内に収まり、
前記一対の基礎は、
地面に載置される底面と、前記底面と平行な上面を有する把手と、前記把手の下方にベルトを挿通可能な隙間を有する偶数個のタンクを、前記一対の折り畳みフレームが前記起立位置にあるとき前記長辺の位置を対称軸として近接して配置し、前記偶数個のタンクを横ベルトで締結し、前記偶数個のタンクのそれぞれに水を満たして構成され、
前記田畑間移設用太陽光発電設備は、更に、
前記偶数個のタンクの各上面上に載置され、かつ前記偶数個のタンクの少なくとも一部の注ぎ口を挿入可能に開口する丸孔を有し、長手方向中央部に前記対称軸に符合して前記長辺に接し、前記太陽電池パネル及び前記枠体に作用する荷重を前記基礎に伝達する溝部を有する一対の基礎プレートと、
前記注ぎ口にねじ込まれることにより、前記偶数個のタンクと前記一対の基礎プレートとを一体化するキャップと、
前記一対の基礎と前記一対の折り畳みフレームとを取り外し可能に締結する連結ベルトとを有する田畑間移設用太陽光発電設備。
【発明の詳細な説明】
【技術分野】
【０００１】
本発明は、健常な高齢者と農家が各パーツを足場の悪い農地でも運ぶことができ、しかも設置後建築基準法が定める基準以上の構造耐力性能が得られ、さらに営農期には撤去して営農を妨げない田畑間移設用太陽光発電設備に関するものである。特に、本発明は、後に明らかにするように、「米と発電の二毛作」を可能とするものである。
【背景技術】
【０００２】
東日本大震災及びそれに伴う福島第一原発事故に直面した我が国において、原発ゼロを唱える政治家の論調が脚光を浴びている。
【０００３】
これに反対する有力な論調は、代替エネルギーの目処もなくそのような主張をすること自体無責任であるとする。
【０００４】
一方、我が国は６５歳以上の高齢者が人口の４分の１を占める超高齢化に直面し、高齢者を単に社会保障制度で保護するだけでなく、むしろ健常な高齢者には一日あたり約４時間程度働いてある程度の収入を得てもらうなど、それなりの社会的役割を担ってもらい、生きがいを感じるような施策がとられることが望ましい。
【０００５】
このような難しい局面を打開するための一手法として、本発明者は、農地（田んぼ、畑、牧草地等）において健常な高齢者を中心に作業を行い、太陽光発電を行うことを熟考している。
【０００６】
因みに本発明者の試算では、我が国で水田や耕作放棄地などの農地における太陽光発電が軌道に載れば、年間総発電量の約３０％の電気を作ることが可能である。この年間総発電量の３０％は、我が国の原発５４基分の発電量に匹敵し、太陽光発電で原子力発電を代替できる。太陽光発電で年間総発電量の３０％の電気をつくるためには、現在、稲作を行っている水田面積の３０％と耕作放棄地面積の４６％を利用する計算になる。なお、この計算における太陽光発電の稼働期間は、水田について稲作期間以外の６ヶ月、耕作放棄地は通年を想定している。水田での発電量は年間総発電量の２０％に相当し、耕作放棄地での発電は年間総発電量の１０％に相当する。農地において太陽光発電設備を運営する担い手として、１００万人を超す健常な高齢者と農家の半数である７５万戸の人々とが想定されている。このような想定条件を満たせば、原子力発電を利用せずに、太陽光エネルギーのみで我が国の発電を充足することが、計算上可能となる。
【０００７】
但し、ここでいう農地とは、農地を発電用の土地へ転用するものではない。むしろ、本来の営農を休んでいる農地のことを言い、例えば、田植えから刈り取りまでの稲作期間を外れた期間の田んぼ、休耕地、作物あるいは草が植えられていない期間の畑や牧草地等を指す。
【０００８】
したがって、本明細書にいう農地では、休耕地でない場合、営農期には通常通り営農が行われ、かつ営農期以外では発電が行われることになる。
【０００９】
このような活用法は、農地が田んぼであれば「米と発電の二毛作」と表現できる方法と言い得る。
【００１０】
このような農地であれば、農地転用のような煩わしい手続きを行う必要はない。しかしながら、本来の営農を行う時期には田畑間移設用太陽光発電設備が除去されていなければならず、また、農地の周囲には大型の搬送機械を使用することができず、足場が悪く、さらに健常な高齢者の体力乃至腕力は、強くない。即ち、このような事情に適合するシンプルな仕組みが求められる。
【００１１】
より具体的には、求められる田畑間移設用太陽光発電設備は次の要件の全てを満たすことが必要である。
【００１２】
条件（１）：ある農地から別の農地へ転々と移設できることを前提とするので、解体、移動及び別の現場での組立が容易にできること。即ち、田畑間移設用太陽光発電設備は、例えば軽トラックの荷台に載せ得る、複数の部分に分割でき、しかも各部分が高齢者が人手で運びうるものであること。なお、最も重い太陽光発電パネル及びその枠体は、二人がかりで運びうる程度にすればよい。
【００１３】
条件（２）：設置時期に台風など苛烈な気象条件下に現場が置かれることもあるため、建築基準法が定める基準以上の構造耐力性能が得られること。
【００１４】
条件（３）：農地で得やすい水による重量の追加あるいは削減に対応できること。
【００１５】
条件（４）：買電レートが規定されることを考慮し、できる限り市販の安価なパーツを使用し、田畑間移設用太陽光発電設備全体のコストを低廉にできること。より具体的には、各パーツの多くは、既に量産され、周囲のホームセンター等で安価に購入できるものが望ましい。もしこの条件（４）が満たされなければ、実用に供することができなくなり、技術的には可能であっても社会事情が実施を許さない技術と言わざるを得ない。
【００１６】
条件（５）：各パーツの移動時に主要部品である太陽電池パネルを傷つけないような配慮がされていること。
【００１７】
以上のような考察を行えば、コンクリート等の重量物を基礎とする従来技術は移設そのものができず、全く問題外である。
【００１８】
条件（２）、（３）には少なくとも部分的にかなう提案が特許文献１（特開２００４−６５６６号公報）、特許文献２（特開２００４−４７７５５号公報）に記載されている。
【特許文献１】特開２００４−６５６６号公報
【特許文献２】特開２００４−４７７５５号公報
【発明の開示】
【発明が解決しようとする課題】
【００１９】
しかしながら、特許文献１に記載のものでは、太陽光発電パネル１枚或いは複数枚の全てをプラスチック等で一体成型されたタンク架台で支持する構造となっている。
【００２０】
したがって、タンク架台を人手で運びうるように小分けすること自体不可能と考えざるを得ない。結局、足場の悪い現場において、巨大なタンクを農家（しばしばそれ自身が高齢者である。）と高齢者等が運ぶこと自体が不可能であって、実用性が低く、条件（１）を満たさない。
【００２１】
また、実際に成型するには、巨大な金型を起こし、射出成形等によりタンクを加工することが必須となり、条件（４）を満たさない。
【００２２】
さらに、タンクに亀裂や欠け等の破損を生じ水漏れ等が想定される場合、特殊なタンクを使用しているため、交換用のタンクを早急に入手することが困難である。また、異なる現場間での移設を前提としておらず、条件（５）を満たさない。
【００２３】
特許文献２に記載のものでは、条件（２）は満たしうるかもしれないが、特許文献１と同様に、実際に成型するには、巨大な金型を起こし、射出成形等によりタンクを加工することが必須となり、条件（４）を満たさない。
【００２４】
さらに、特許文献１と同様に、タンクに亀裂や欠け等の破損を生じ水漏れ等が想定される場合、特殊なタンクを使用しているため、交換用のタンクを早急に入手することが困難である。
【００２５】
いずれにしても、特許文献１、特許文献２の技術単独、あるいはこれらを組み合わせても、条件（１）〜（５）の全てを満たすことはなく、上記目的を達成できない。
【００２６】
そこで本発明は、農家と健常な高齢者が各パーツを足場の悪い農地から別の農地へ移設することができ、しかも設置後建築基準法が定める基準以上の構造耐力性能が得られ、さらに営農期には撤去して営農を妨げない田畑間移設用太陽光発電設備を提供することを目的とする。
【課題を解決するための手段】
【００２７】
第１の発明に係る田畑間移設用太陽光発電設備は、太陽電池パネルと、太陽電池パネルを保持する枠体と、枠体の長手方向線対称に左右一致に配置される一対の基礎と、枠体の長手方向線対称に左右一対で、枠体に接する折り畳み位置と、枠体に直交する起立位置とを取りうるように固定される一対の折り畳みフレームとを備える田畑間移設用太陽光発電設備であって、一対の折り畳みフレームのそれぞれは、枠体に設けられるヒンジにより枠体に対して軸支される底辺と、底辺に対して所定の傾斜角だけ傾斜して設けられる長辺と、長辺に対して直交し、底辺に接続される短辺とを有し、かつ一対の折り畳みフレームのそれぞれは、折り畳み位置において枠体の厚さ方向に関し枠体内に収まり、一対の基礎は、地面に載置される底面と、底面と平行な上面を有する把手と、把手の下方にベルトを挿通可能な隙間を有する偶数個のタンクを、一対の折り畳みフレームが起立位置にあるとき長辺の位置を対称軸として近接して配置し、偶数個のタンクを横ベルトで締結し、偶数個のタンクのそれぞれに水を満たして構成され、田畑間移設用太陽光発電設備は、更に、偶数個のタンクの各上面上に載置され、かつ偶数個のタンクの少なくとも一部の把手に係合するかぎ脚部を有し、長手方向中央部に対称軸に符合して長辺に接し、太陽電池パネル及び枠体に作用する荷重を基礎に伝達する溝部を有する一対の基礎プレートと、一対の基礎と一対の折り畳みフレームとを取り外し可能に締結する連結ベルトとを有する。
【００２８】
この構成において、設置前の状態では、折り畳みフレームは折り畳み位置にあり、太陽電池パネル、枠体及び折り畳みフレームは、ほぼ板状に一体化されている。よって、足場が良くない農地であっても、二人がかりでこれらを搬送するのは容易である。また、一対の折り畳みフレームのそれぞれは、折り畳み位置において枠体の厚さ方向に関し枠体内に収まるので、複数枚重ねてもかさばらず、太陽電池パネルを傷つけない。
【００２９】
市販の樹脂製のタンクは、ほとんど上記定義を満たすから、足場が良くない農地であっても、一人で搬送、交換を簡単に行える。タンクの中にほとんど水が入っていない状態であれば、搬送は極めて簡単であり、設置時に水をタンクに満たせば基礎の重量は十分に確保できる。なお、一般に農地では水を撒く作業は頻繁に行われるため、水の供給も容易である。
【００３０】
基礎プレートも同様に、足場が良くない農地であっても一人で容易に搬送できる。
【００３１】
ベルトも、市販の荷積み用のものを流用できる。
【００３２】
営農期が近づいたら、組上がった設備を分解し、例えば軽トラックの荷台へ積み込み、次の設置場所へ容易に移送できる。
【００３３】
要するに、この構成によれば、上述した条件（１）〜（５）の全てを満たすことができ、農家と高齢者が中心となった「米と発電の二毛作」を実現できる。
【００３４】
第２の発明に係る田畑間移設用太陽光発電設備では、第１の発明に加え、偶数個のタンクのうち、隣接する二つのタンクは縦ベルトで結合され、さらに縦ベルトの外側に一対の折り畳みフレームへ延びる外延縦ベルトが設けられ、連結ベルトは、外延縦ベルトを含んで構成される。
【００３５】
この構成により、同種の市販の荷積み用ベルトを使用して、基礎と枠体とを強固に連結できる。
【００３６】
第３の発明に係る田畑間移設用太陽光発電設備では、第１の発明に加え、一対の折り畳みフレームは、起立位置にあるとき根がらみ材により枠体の長手方向に関して連結される。
【００３７】
この構成により、折り畳みフレーム間を強固に連結できる。
【００３８】
第４の発明に係る田畑間移設用太陽光発電設備では、第１の発明に加え、一対の折り畳みフレームは、起立位置及び折り畳み位置のいずれにおいても、太陽電池パネルの垂直投影面内に位置する。
【００３９】
この構成により、太陽電池パネルの設置スペースが他の部材に邪魔されず、良好なスペースファクターが得られる。
【発明の効果】
【００４０】
本発明によれば、上述した条件（１）〜（５）の全てを満たすことができ、高齢者や農家が中心となった「米と発電の二毛作」を実現できる。
【発明を実施するための最良の形態】
【００４１】
（実施の形態１）
次に図面を参照しながら、本発明の実施の形態を説明する。図１は、本発明の実施の形態１に係る太陽光発電装置の底面図である。
【００４２】
この装置は、後に詳述するように、分解して運搬、設置及び撤去が容易となるように配慮されたものであり、太陽電池パネル１、枠体２及び折り畳みフレーム３、５を主材とする。
【００４３】
図１に示すように、太陽電池パネル１の裏面（太陽光を受ける表面の反対面）の周縁部には枠体２が固定される。
【００４４】
図２１は、本発明の実施の形態１における枠体の取付説明図、図２２（ａ）〜（ｃ）は、本発明の実施の形態２における枠体の取付説明図である。
【００４５】
ここで、太陽電池パネル１と枠体２の取付要領は、図２１あるいは図２２（ａ）〜図２２（ｃ）のようにすれば、市販の太陽電池パネル１のほとんどに対応できる。
【００４６】
特に、折り畳みフレーム３、５は、図１に示すような折り畳み位置において、いずれも枠体２の厚さ方向において枠体２内に収まるようになっている。したがって、例えば軽トラックの荷台に複数枚の太陽電池発電装置（太陽電池パネル１、枠体２及び折り畳みフレーム３、５等）を同装置の厚さ方向に重ねて積んでもかさばらないし、折り畳みフレーム３、５が太陽電池パネル１を傷つけることもない。しかしながら、本発明の本質は、このような取付要領にはないので、これ以上の詳細な説明は省略する。
【００４７】
さて、図１に示すように、枠体２の長手方向中心線を対称軸として、枠体２には折り畳みフレーム３、５が線対称に配置されるとともに、折り畳みフレーム３、５の両端部は、ヒンジ２ａにより枠体２に連結されている。
【００４８】
図１に示す状態では、折り畳みフレーム３、５は、折り畳まれた状態にあるが、ヒンジ２ａを作動させることにより、図１の状態から折り畳みフレーム３、５を起こし、枠体２と直交する姿勢をとることができる。
【００４９】
折り畳みフレーム３、５は、対称であるため、このうち折り畳みフレーム３のみを詳細に説明する。
【００５０】
折り畳みフレーム３の各部は、好ましくは、直径１４ミリメートル程度のパイプを主材とし、このようなパイプを折り曲げ加工することにより、構成される。
【００５１】
このようにすると、軽量で人手での持ち運びが容易でありながら、かつ十分な強度を保持することができる。
【００５２】
折り畳みフレーム３の外形は、概ね底辺３１を最も長い辺とし、短辺３３と長辺３４とが直交する直角三角形をなす。
【００５３】
この直角三角形において、底辺３１と長辺３４とがなす角θが地面Ｇ（図６等参照。）に対して、太陽電池パネル１がなす傾斜角となる。
【００５４】
なお、設置場所の緯度等を考慮して、角θを設定するのが望ましい。
【００５５】
但し、底辺３１と長辺３４との先端部分は、ヒンジ２ａの付近で切り取られ、正確には、折り畳みフレーム３は、底辺３１、短辺３３、長辺３４及び起立辺３５を有する台形状となっている。
【００５６】
このようにすることにより、図１に示すように折り畳みフレーム３が折り畳まれた状態であっても、あるいは、図６に示すように折り畳みフレーム３が地面Ｇに対して垂直となる状態であっても、折り畳みフレーム３は、常に太陽電池パネル１の投影面積内にある。
【００５７】
言い換えれば、折り畳みフレーム３が太陽電池パネル１の前後に出っ張ることはなく、太陽電池パネル１同士を前後に近接して複数配置する際におけるスペースファクターが良好となる。
【００５８】
次に、折り畳みフレーム３の内部構造を説明する。
【００５９】
まず、底辺３４の内側には、底辺３４とほぼ平行な内側長辺３６が設けられ、内側長辺３６の両端部は、それぞれ底辺３１と短辺３３と平行になるように折り曲げられ、接触部分において底辺３１と短辺３３とに溶接される。
【００６０】
内側長辺３６よりも底辺３１側の部分は、補強部分となっており、底辺３１と短辺３３との角部には、補強材４２が配置され、それ以外の部分には補強材４１が配置される。
【００６１】
内側長辺３６と長辺３４との間の部分は、連結部分となっており、その両側部には、ロ字状に曲げられた補強リング３７、３８とが嵌め込まれる。
【００６２】
補強部分の中央部には、略Ｔ字状をなすプレートからなる根がらみ材止め３９のＴ字側部が固着される。
【００６３】
根がらみ材止め３９の中央には、長辺３４及び内側長辺３６と平行に延びる突片４０が形成され、突片４０の中央部には、クサビ孔４０ａが開けてある。
【００６４】
上記補強材４１のうち、補強リング３７、３８と平行な部分は、内側長辺３６の補強リング３７、３８の反対側に溶接される平行部４１ａとなっている。
【００６５】
底辺３１の補強材４２付近には、後述するような補強材８３（図６参照。）を係止するための筋交い掛け３２が固定され、方杖６を係止するための係止部６ａが設けられる。
【００６６】
折り畳みフレーム５にも同様に方杖７を係止するための係止部７ａが設けられる。
【００６７】
図１に示すように、両側のヒンジ２ａよりも枠体２の中央側には、一対のヒンジ２ｂ、２ｂが固定され、これらのヒンジ２ｂ、２ｂには、左右対称に方杖６、７の基端部が揺動可能に軸支される。
【００６８】
即ち、折り畳みフレーム３、５を図１の状態から枠体２に対して垂直に立て、方杖６、７も立ち上げて係止部６ａ、７ａに方杖６、７の先端部を装着すると、折り畳みフレーム３、５が枠体２に対して垂直に起立する状態を保持できる（図７も参照）。
【００６９】
次に、図２〜図７を参照しながら、折り畳みフレーム３、５の下方の台部、台部と折り畳みフレーム３、５との連結要領について説明する。
【００７０】
図２は、本発明の実施の形態１における基礎を示す平面図である。図２において、破線の矩形は、枠体２の外縁部の位置を示す。この矩形の中に左右一対の台部を設置する。
【００７１】
図２（ａ）に示すように、ポリエチレン等の樹脂で形成された市販のタンク（通常、灯油を収納するためのものであり、１８乃至２０リットルの容積を有するもの）６０を横に二つ並べ、これらを縦ベルト４３で連結する。
【００７２】
後述するように、このように縦ベルト４３で連結された二つのタンク６０、６０を、縦に並べ、都合四つのタンク６０を横ベルト４５で連結し、四つのタンク６０で一つの基礎のユニットを構成する。
【００７３】
後述するように本形態では、種々のベルトを使用するが、いずれのベルトも市販の荷積み用ラッシングベルト（幅５０ミリメートル程度）を用いて良い。したがって、十分な強度を発揮する高品質のベルトを非常に安価にかつ容易に、入手及び交換することができる。
【００７４】
タンク６０としては、地面Ｇ上に置かれる底面６１（図６も参照。）と平行な上面６２ａを有する把手６２を有し、把手６２の下方にベルトを挿通できる隙間６３が開いているものであれば任意である。
【００７５】
市販のポリタンクは、この条件を満たすので、本形態のタンク６０として使用できる。
【００７６】
市販のポリタンクを使用すれば、わざわざ新たに金型を起こして成型するような莫大なコスト及び労力を使うことなく、目的の設置及び撤去を実現できる。一部のタンクに、使用に耐えられないような破損を生じたとしても、近所のホームセンター等で同形のタンクを安価に購入するだけで、リカバリーすることができる。さらに、ベルトも同様に入手・交換できる。
【００７７】
タンク６０には、注出入口キャップ６４が設けられており、同キャップ６４を開いて水をタンク６０に注げば、タンク６０の重量が増加し、一つのタンク６０あたり１８〜２０キログラム程度となり、十分なおもりとして使用できる。
【００７８】
一方、同キャップ６４を開いて水を放出すれば、タンク６０を軽くして、次の現場への搬送を容易にすることができる。
【００７９】
ここで、タンク６０に出し入れする液体としての水は、水道水であっても良いし、農地であれば農業用水、あるいは雨水であってもよい。あるいは水ではない液体を使用しても差し支えないが、後述するように、農地で放出することを考えると、農地に影響が少ない（普通に存在する）水が最も好ましい。
【００８０】
図２（ｂ）に示すように、タンク６０の連結が完了したら、４つのタンク６０の把手６２の上面６２ａ上に基礎プレート７０を載置する。
【００８１】
、図３（ａ）は、本発明の実施の形態１における基礎プレートの平面図、図３（ｂ）は、同基礎プレートの正面図である。
【００８２】
図３（ａ）、（ｂ）に示すように、基礎プレート７０は次のように構成される。基礎プレート７０は、樹脂で構成するのが望ましいが、他に軽量で丈夫な金属（例えばアルミニウム）等で構成することもできる。
【００８３】
基礎プレート７０は、矩形の水平板である板部７１を主材とする。板部７１の上面において長手方向中心線と平行で間隔をあけて平行に突条７２、７３が突設される。
【００８４】
突条７２、７３の間は、板部７１の上面と同レベルの底部を有する溝部７４となっている。
【００８５】
溝部７４の幅、即ち、突条７２、７３の間隔は、折り畳みフレーム３、５を構成するスチールパイプの直径よりもやや広く設定される。
【００８６】
板部７１の長手方向縁部の一方には、単に板部７１に対して垂直下向きに折れ曲がる掛け脚部７５が形成される。
【００８７】
また板部７１の長手方向縁部の他方には、板部７１に対して垂直下向きに折れ曲がり、かつさらに板部７１と平行に折れ曲がるかぎ脚部７６が形成される。
【００８８】
図４は、本発明の実施の形態１における基礎プレート付近を示す縦断面図である。図４に示すように、かぎ脚部７６は、断面においてＣ字状に折れ曲がる形状をなす。
【００８９】
図２（ａ）に示すように、基礎プレート７０を４つのタンク６０に載置する際、掛け脚部７５は単に把手６２の側方に垂れ下がるだけの姿勢になるが、かぎ脚部７６は、把手６２の側方及び下方を回り込むような姿勢となる。
【００９０】
これにより、基礎プレート７０は、４つのタンク６０からなるユニットに仮止めされることになる。
【００９１】
さらに、基礎プレート７０の溝部７４には、折り畳みフレーム３、５の最下点（即ち、長辺３４）が挿入され、太陽電池パネル１、枠体２等の荷重が、基礎プレート７０を介して、把手６２、即ち４つのタンク６０からなるユニットへ伝達される。
【００９２】
図６は、本発明の実施の形態１における田畑間移設用太陽光発電設備の側面図である。
【００９３】
詳細は、後述するが、図４、図６に示すように、縦ベルト４３の外側に設けられる外縁縦ベルト４４が基礎プレート７０の上方まで延び、長辺３４と平行で、しかも長辺３４よりも上方に位置する補強材４１の平行部４１ａを巻き込んで４つのタンク４０と締結される。
【００９４】
このように、本形態の基礎プレート７０を構成し、荷重を合理的に伝達することにより、市販のポリタンク、ラッシングベルトといった、容易にしかも安価に入手できる部材を使用しながら、台風などの過酷な気象状況下でも安定して太陽電池パネル１を支持でき、しかも移設時には、各部材をバラバラに分解し、一つ一つの部分を人手で運びうる程度の重量とするという、困難な課題を解決することができる。
【００９５】
この点は、農地のように周囲の道が軽トラックしか走行できないような狭く、足場が悪い現場（言い換えれば、搬送用の大型機械を使用できない環境）では、極めて重要な点である。
【００９６】
次に、各種の補強要領について説明する。
【００９７】
図５（ａ）は、本発明の実施の形態１における根がらみ材の正面図、図５（ｂ）は、同根がらみ材と突片との関係図、図５（ｃ）は、同クサビの正面図である。
【００９８】
根がらみ材８０は、好ましくはアルミニウム製の角パイプで構成する。こうすると、軽量で運びやすく、かつ十分な強度が得られるからである。
【００９９】
根がらみ材８０は、枠材２の長手方向長さよりも短く、かつ４つのタンク６０からなるユニットの中心間の距離よりもやや長くする。そして、この中心感の距離だけ離して一対のスリット８１を根がらみ材８０の長手方向と直交する向きに開ける。
【０１００】
図４に示すように、スリット８１の位置が上記中心に合致するように、ユニット上に根がらみ材８０を架け渡し、図５（ｂ）に示すように、根がらみ材止め３９の突片４０をスリット８１に挿入する。
【０１０１】
すると、突片４０のクサビ孔４０ａの先端側が根がらみ材８０よりも外側に露出する。
【０１０２】
露出したクサビ孔４０ａの部分に、図５（ｃ）に示すようなテーパ部を有するクサビ８２を打ち込み、根がらみ材８０を用いて、一対のユニットを連結する。
【０１０３】
図７は、同田畑間移設用太陽光発電設備の背面図である。図７に示すように、筋交い掛け３２等（詳細は後述する。）を利用して、斜めの補強材８３をＸ字状に架け渡し、さらなる補強を行う。
【０１０４】
ここまで完了した時点のいずれかにおいて、全部で８個のタンク６０に十分な水が入っていれば、合計１６０キログラム程の重量となり、台風などの過酷な気象条件下でも、太陽電池パネル１を安定した状態で地面Ｇ上に支持することができる。
【０１０５】
次に、図８〜図２０を参照しながら、農地として、稲刈り後の田んぼを例にとり、この農地に本形態における太陽光発電装置を多数設置する手順を説明する。勿論、農地としては、このほかに、休耕地、畑、牧草地等を選択することができ、そのようにしても本発明に包含される。
【０１０６】
稲刈り後の田んぼを例としたのは、田んぼで田植えから稲刈りまでの時期は、通常の田んぼとして利用し、稲刈りから田植えの前までは、田んぼで発電するためである。
【０１０７】
このようにすると、いわゆる「米と発電との二毛作」とも言える運用が可能となるし、農地転用というようなわずらわしい手続きが不要となるため、実益が大きい。つまり、農地そのもので発電ができるのである。
【０１０８】
実際、本発明者は、現実に米と発電との二毛作が行われている例を知らない。
【０１０９】
（工程１：地盤の整備）
図８は、本発明の実施の形態１における農地の斜視図である。まず図８に示すように、地盤を整備する。稲刈り後の田んぼには、切り株が残存しており、地面は全体として平坦ではあるが、凸凹が多数存在する。
【０１１０】
次回、田植えを行う際における土壌の活性を高めるため、田んぼに耕耘機を入れ稲の切り株を鋤いて土地に混ぜる（図示せず）のが望ましい。こうすると、刈り取られた稲から芽、茎及び葉が伸びて太陽電池パネル１を塞ぎ、発電効率が低下する事態を予防できる。
【０１１１】
全体で３回ほど耕すのが望ましいが、かならずしもこの時点で耕さなくても、田植え前に耕しても良く、そうしても稲作への影響は小さい。
【０１１２】
そして、図８に示すように、農地９０において、レーキ９１等のアタッチメントを装着した小型重機９２を走らせ、凹凸を取り除き耕した土を均等にならす。このような小型重機９２は、農地９０を走行するのに適するように構成されており、市販のもの或いはリース品を使用できるため、作業は容易である。
【０１１３】
図１１は、本発明の実施の形態１におけるユニットの配置説明図、図２３は、本発明の実施の形態１における農地のレイアウト図である。次に、図１１、図２３に示すように、農地９０上縦横に地縄９３を張り、タンク６０を設置する場所をマーキングする。
【０１１４】
また、タンク６０を設置する箇所のみでよいが、ランマプレート（図示せず）で地面を締め固め整地するのが望ましい。
【０１１５】
さらに、望ましくは、水準器等を用いてタンク６０の設置箇所の水平を確認し、必要に応じて土を除去したり追加したりするなどの調整を行う。
【０１１６】
以上で地盤の整備が完了する。
【０１１７】
（工程２：基礎の構成）
図９は、本発明の実施の形態１におけるタンクの斜視図である。図９に示すように、タンク６０を長手方向が一致するように２つ並べ、縦ベルト４３で連結する。
【０１１８】
図６等では言及しなかったが、縦ベルト４３には、タンク６０の側面に対し、上下２箇所に、横向きのベルト通し４３ａが袋状に形成されており、２つのベルト通し４３ａの間には、外延縦ベルト４４の基端部が縫い付けられている。タンク６０の底部付近には、補強材８３を係止するためのフック４３ｂが設けられる。
【０１１９】
外延縦ベルト４４の先端部には、内部にラチェット機構（図示せず。）を有する締付具４６が装着され、図９にあらわれている側の反対には、締付具４６に挿通させるための外延縦ベルト４４の相手部分（挿通ベルト４４ａ。図１５も参照。）が配設されている。
【０１２０】
タンク６０には、予めそれぞれおよそ３〜５リットル程度の水を入れておくと、安定性が向上するし、さほど重くならないので好ましい。
【０１２１】
図１０は、本発明の実施の形態１におけるユニットの斜視図である。次に、図１０に示すように、図９のセットをタンク６０の長手方向に２つ並べ（都合４つのタンク６０となる。）て一つの基礎ユニットにまとめる。
【０１２２】
即ち、ベルト通し４３ａに横ベルト４５を通し、上下２段となるように４つのタンク６０の周囲を水平に巻回させ、縛り付ける。
【０１２３】
このようなユニットを左右２つ作り、太陽電池パネル１及び枠体２を支持する架台の基礎とする。
【０１２４】
次に、図２３に示すように、地縄９３を縦横直角に張り、マトリックス状に左右一対のユニットを配置する。
【０１２５】
地縄９３により区画される一つの矩形が１台の太陽電池パネル１の設置スペースとなるが、一反の田んぼ程度であれば、３本程度の平行な通路９５を確保し、確保された通路９５をトラクター９６が走行できるように配置するのが望ましい。なお通路９５の幅は約６０センチメートル程度が好ましく、人の移動及び草刈り等が可能となる。ここで、草刈りが必要なのは、農地である現場（特に、太陽電池パネル１の影に入らない通路９５）において草が伸びて光を遮り太陽電池パネル１による発電効率が低下する事態を防止する必要があるからである。
【０１２６】
一つのユニットに対し、４つの把手６２の上面６２ａで構成される平面が存在する。
【０１２７】
図１２は、本発明の実施の形態１における基礎プレートの取付説明図である。図１２に拡大して示すように、この平面の上に基礎プレート７０を仮置きする。
【０１２８】
上述したように、基礎プレート７０の長手方向片側には、かぎ脚部７６が、反対側には、掛け脚部７５が、それぞれ２箇所設けられている。
【０１２９】
片側のかぎ脚部７６が把手６２の周回して係合するように、基礎プレート７０を配置する。なお、反対側の掛け脚部７５付近は、単に把手６２の上面６２ａに載せるだけになる。
【０１３０】
このようにすると、配置後には、基礎プレート７０の溝部７４が１つのユニットの長手方向中心に位置することになる。
【０１３１】
図１３は、本発明の実施の形態１における調整過程説明図である。次に、図１３に示すように、根がらみ材７６を左右一対の基礎プレート７０に載せ、さらにその上に水準器９４を載せて、水平レベルが確保できているか確認するとともに、左右一対のユニット間の距離を調整する。
【０１３２】
勿論、このような調整は、別途の部材を使用しても差し支えない。
【０１３３】
水平レベル及び距離が適正となったら、キャップ６４を開け、各タンク６０にホース（図示せず）等を用いて水を入れほぼ満水（例えば、全容積２０リットルの水を満たす。）とする。
【０１３４】
このようにすると、両側のユニットの重量は、１６０キログラムを超えるものとなり、堅牢で安定した基礎を構築できる。
【０１３５】
（工程３：架台の設置）
図１４は、本発明の実施の形態１における田畑間移設用太陽光発電設備の組立説明図である。
【０１３６】
図１４に示すように、図１に示した装置を例えば二人がかりの人手で基礎の近くまで運び、折り畳まれている折り畳みフレーム３、５を開き、方杖６、７の先端部を係止部６ａ、７ａにそれぞれ装着することにより、折り畳みフレーム３、５を枠体２に対して直角に起立する状態とする。
【０１３７】
図１５は、本発明の実施の形態１における太陽光発電装置と基礎の連結説明図である。
【０１３８】
図１５に示すように、折り畳みフレーム３、５が起立したら、折り畳みフレーム３、５の長辺３４が基礎プレート７０の溝部７４内に収まるように、基礎プレート７０上に設置する。
【０１３９】
また、外延縦ベルト４４の締付具４６側を上に向けて伸ばし、挿通ベルト４４ａを折り畳みフレーム３、５の平行部４１ａの上側を通し、締付具４６に挿通ベルト４４ａの先端側を通す。
【０１４０】
さらに、挿通ベルト４４ａの先端部を下向きに強く引き、締付具４６により挿通ベルト４４ａを緊結すると、図６に示したように、折り畳みフレーム３、５が縦ベルト４３及び外延縦ベルト４４によって、強固に満水となった基礎（２つのユニット）に連結されることになる。
【０１４１】
以上のように、基礎に架台が連結されると、根がらみ材止め３９の突片４０は、垂直に起立するともに短辺３３側（つまり、太陽電池パネル１の後ろ側）を向いている。
【０１４２】
図１６は、本発明の実施の形態１における根がらみ材の説明図である。
【０１４３】
図１６に示すように、根がらみ材８０を内側長辺３６と長辺３４の間に入れ、根がらみ材８０のスリット８１を突片４０に挿入する。すると、突片４０のクサビ孔４０ａの先端側が根がらみ材８０の外側に露出する。
【０１４４】
図１７は、本発明の実施の形態１における根がらみ材の説明図である。
【０１４５】
図１７に示すように、露出するクサビ孔４０ａにクサビ８２を打ち込み、根がらみ材８０の両端部を、それぞれ折り畳みフレーム３、５に連結する。
【０１４６】
こうなると、太陽電池パネル１の長手方向において、折り畳みフレーム３、５は強固に連結され、ほとんど動けない状態になる。言い換えれば、根がらみ材８０により、架台の両脚（折り畳みフレーム３、５）の距離が固定され、架台の足下の固着力が増加し、装置は安定的に支持される。
【０１４７】
（工程４：補強）
図１８（ａ）〜図１８（ｃ）は、本発明の実施の形態１における補強過程の説明図である。
【０１４８】
望ましくは、以上に加えて、次のような補強を行う。図１８（ｂ）、（ｃ）に示すように、補強材８３を追加する。
【０１４９】
即ち、ワイヤ８５の先端部に固定されたカラビナ８６を折り畳みフレーム３、５の筋交い掛け３２と、対角に位置する縦ベルト４３の底部のフック４３ｂにそれぞれ係止する。
【０１５０】
また、図１８（ａ）に示すように、ワイヤ８５の中央付近に装着されるターンバックル８４を締め付けて、ワイヤ８５に適切な張力を付与する。
【０１５１】
その結果、略Ｘ字状をなす補強材８３により、太陽電池パネル１の上方裏側と、それと対角な基礎底部とが連結され、一層装置の安定性が向上する。
【０１５２】
即ち、建築基準法が定める基準以上の構造耐力性能が得られる。しかも、設置、移動、再設置等が人手で容易に行い得る。
【０１５３】
図１９は、本発明の実施の形態１における田畑間移設用太陽光発電設備の斜視図である。
【０１５４】
ここまで行えば、台風などの苛烈な気象状況下でも、図１９に示すように、太陽電池パネル１が、地面Ｇに対し所定の傾斜角θをなす姿勢で安定して支持することができる。
【０１５５】
図１９において、基礎及び架台がいずれも太陽電池パネル１の垂直投影面積内に収まっている点に注目されたい。
【０１５６】
よって、地縄９３により区画される矩形上の設置スペースは、基本的には隙間無く配置することができ、スペースファクターを良好にすることができる。なお、上述したように、作業効率を考えて、適宜トラクター用の通路を確保しておくことが望ましい。
【０１５７】
このように、本形態の田畑間移設用太陽光発電設備は、水が満たされる複数のタンク６０、横ベルト４５及び縦ベルト４３とを主材とする基礎と、太陽電池パネル１、枠体２及び折り畳みフレーム３、５を主材とする太陽光発電装置と、基礎と太陽光発電装置とを連結する基礎プレート７０及び外延縦ベルト４４とからなる連結部分とを備えてなる。
【０１５８】
（工程５：撤去及び移送）
装置、架台及び基礎を撤去するには、上記の工程２〜４を逆順に実施すれば良いことは容易に理解されよう。
【０１５９】
図２０（ａ）〜図２０（ｂ）は、本発明の実施の形態１における基礎の撤去過程説明図である。
【０１６０】
撤去を行うときには、基礎について図２０（ａ）に示すように、締付具４６を緩めて外し、外延縦ベルト４４及び横ベルト４５を緩め、キャップ６４を開け、図２０（ｂ）に示すように、タンク６０内の水を現場で放水すればよい。
【０１６１】
このようにしても、現場は農地であるから何の支障もなく放水できるし、放水すればするほど、タンク６０が軽くなって持ち運びが容易となる。
【０１６２】
（まとめ）
以上説明したところから、工程１を除くと、図１４の作業が二人がかりになるのを除き、さほどの筋力や体力を要さず、健常な高齢者又は農家が人手で行いうる範囲にあることが理解されよう。そして、軽トラックの荷台に各パーツを積み込み、太陽電池パネル１を傷つける心配なく、次の現場（別の農地）へ搬送し、組み立てて発電を行うことになる。
【０１６３】
つまり、ある程度元気な高齢者等であっても、作業に参画することができ、農家とシルバー世代が生きがいを感じながら、一日あたり４時間程度働き、それによる収入を得ることができるし、適度の運動となって健康の維持・増進に資することができる。このように本発明によれば、「米と発電との二毛作」を農地転用等の煩わしい手続きなしに可能とするスキームを構築できるものである。
【０１６４】
（実施の形態３）
実施の形態３では、実施の形態１、２に比較して、基礎プレート１００の構成が異なる。以下、実施の形態３では、実施の形態１、２との相違点のみを述べるが、特に言及されていない項目については、実施の形態１、２と同様である。
【０１６５】
ここで、図２４（ａ）は、本発明の実施の形態３における基礎プレートの平面図、図２４（ｂ）は、同基礎プレートの斜視図である。
【０１６６】
図２５（ａ）は、本発明の実施の形態３における桝の平面図、図２５（ｂ）は、同桝の正面図、図２５（ｃ）は、同タンクの平面図である。
【０１６７】
図２６（ａ）は、本発明の実施の形態３における桝の正面図、図２６（ｂ）は、同タンクの正面図、図２６（ｃ）は、同給水状態を示す側面図である。
【０１６８】
実施の形態３における基礎プレート１００は、タンク６０の各上面上に載置され、かつタンク６０の注ぎ口６５を挿入可能に開口する丸孔１０３を有する。
【０１６９】
また、基礎プレート１００は、溝部１０６を有し、この溝部１０６は、折畳フレーム３、５の長辺３４に接し、太陽電池パネル１及び枠体２に作用する荷重を基礎に伝達する。
【０１７０】
以下、図２４〜図２６を参照しながら、更に具体的に説明する。実施の形態１、２では、基礎プレート７０のかぎ脚部７６を用いて、基礎プレート７０をタンク６０に連結した。
【０１７１】
一方、実施の形態３では、図２４（ｂ）に示すように、基礎プレート１００を、中央の水平部１０１と、水平部１０１の両端から下向きに傾斜する２つの傾斜部１０２とを備えて構成し、基礎プレート１００の真下に位置する４本のタンク６０に設けられる注ぎ口６５（全部で８個）の位置にあわせて、注ぎ口６５よりもやや大径の丸孔１０３（全部で８個）を開設してある。
【０１７２】
注ぎ口６５は、通常キャップ６４がねじ込まれることにより閉鎖されるが、これと同じように、傾斜部１０２に開設される丸孔１０３には、図２４（ａ）に示すように、丸孔１０３から外向きに注ぎ口６５を露出させ、傾斜部１０２の外側から注ぎ口６５の外周部にワッシャ６６をはめ込み、さらにワッシャ６６の上から注ぎ口６５のネジ部に、キャップ６４をねじ込むと良い。
【０１７３】
また、水平部１０１の丸孔１０３からも同様に注ぎ口６５が露出するが、中央部１０１の注ぎ口６５には、タンク６０内に虫やゴミ等が入らないように、防虫ネット（図示せず。）を張った目皿を装着した上で、注ぎ口６５にキャップ６４をねじ込むと良い。
【０１７４】
このようにキャップ６４を傾斜部１０２の丸孔１０３から露出する注ぎ口６５にねじ込むと、基礎プレート１００と４本のタンク６０とが一体化される。
【０１７５】
さらに、水平部１０１の中央には、水平部１０１の中心線を対称軸として、線対称となるように、門型の把手１０４、１０５の下端部が固着されている。これらの把手１０４、１０５の間は、溝部１０６となっており、この溝部１０６には、実施の形態１、２と同様に、折畳フレーム３、５の長辺３４を挿入し、外延縦ベルト４４等により、折畳フレーム３、５をタンク６０を主とする基礎に連結できるようになっている。
【０１７６】
一旦、折畳フレーム３、５が基礎に連結されると、溝部１０６は、太陽電池パネル１及び枠体２に作用する荷重を基礎に伝達することになる。
【０１７７】
一方、外延縦ベルト４４等を外せば、キャップ６４が丸孔１０３を介して、タンク６０の注ぎ口６５にねじ込まれているから、例えば、タンク６０内の水の量が少ないか全く無いような場合、作業者は、把手１０４、１０５を把持すれば、４本のタンク６０を一体的に持ち上げて運搬することもでき、非常に便利である。
【０１７８】
次に、タンク６０への注水作業について、図２５〜図２６を参照しながら説明する。タンク６０内の水が不足している場合、タンク６０に一本ずつ注水を行っても良い。
【０１７９】
しかしながら、次に述べるような桝１０７を使用すれば、４本のタンク６０にまとめて注水できるので能率が良くなる。まず、図２５（ａ）、（ｂ）に示すように、上端部が開放された筒状の桝１０７を用意する。
【０１８０】
図示したものでは、桝１０７は、円筒状の筒部１０８と円板状の底板１０９を有する。しかしながら、桝１０７は、断面矩形の筒状としてもよいし、あるいはホッパのように漏斗状に形成しても良い。
【０１８１】
図２６（ｃ）に示すように、４本のタンク６０から基礎プレート１００を取り外した状態において、基礎プレート１００の水平部１０１の位置にあった４つの注ぎ口６５の位置にあわせて、図２５（ａ）に示すように、底板１０９に丸孔１１０を開設する。
【０１８２】
そして、図２５（ｂ）に示すように、丸孔１１０の上側から雄ねじソケット１１１（内部は空洞で、水の流動を可能とする形状となっている。）を丸孔１１０に挿入し、桝１０７の下側から、上部に雌ねじキャップ１１２を装着した注入管１１３を雄ねじソケット１１１に突き合わせ、さらに雌ねじキャップ１１２を雄ねじソケット１１１にねじ込むことにより、注入管１１３を桝１０７の底板１０９に取り付ける。図示しているように、注水管１１３は、先細りの漏斗状に形成するのが望ましい。
【０１８３】
さらに、基礎プレート１００の水平部１０１の位置にある４つの注ぎ口６５からキャップ６４を外した状態で、４つの注ぎ口６５のそれぞれに４本の注水管をそれぞれ挿入し、桝１０７の上部に給水管１１５をセットする。この後、給水管１１５から水を桝１０７の筒部１０８へ放水すれば、４本のタンク６０にほぼ均等に水を供給することができる。
【０１８４】
水の供給が完了したら、水を含んで重くなった４本のタンク６０を移動せず、その位置において、折畳フレーム３、５の長辺３４を基礎プレート１００の溝部１０６にセットし、外延縦ベルト４４等により基礎へ折畳フレーム３、５を固定すれば、直ちに発電を開始できる。以上の作業において、基礎プレート１００を一時的に取り外しても良いが、基礎プレート１００を取付けたまま作業を行うのが望ましい。そうすれば、例えば横ベルト４５を緩めたり、取り外したりする状態であっても、基礎プレート１００により、４本のタンク６０が一体化されるので、まとめて取り扱うことができ、作業効率が向上する。
【図面の簡単な説明】
【０１８５】
【図１】本発明の実施の形態１に係る太陽光発電装置の底面図
【図２】本発明の実施の形態１における基礎を示す平面図
【図３】（ａ）本発明の実施の形態１における基礎プレートの平面図  （ｂ）本発明の実施の形態１における基礎プレートの正面図
【図４】本発明の実施の形態１における基礎プレート付近を示す縦断面図
【図５】（ａ）本発明の実施の形態１における根がらみ材の正面図  （ｂ）本発明の実施の形態１における根がらみ材と突片との関係図  （ｃ）本発明の実施の形態１におけるクサビの正面図
【図６】本発明の実施の形態１における田畑間移設用太陽光発電設備の側面図
【図７】本発明の実施の形態１における田畑間移設用太陽光発電設備の背面図
【図８】本発明の実施の形態１における農地の斜視図
【図９】本発明の実施の形態１におけるタンクの斜視図
【図１０】本発明の実施の形態１におけるユニットの斜視図
【図１１】本発明の実施の形態１におけるユニットの配置説明図
【図１２】本発明の実施の形態１における基礎プレートの取付説明図
【図１３】本発明の実施の形態１における調整過程説明図
【図１４】本発明の実施の形態１における田畑間移設用太陽光発電設備の組立説明図
【図１５】本発明の実施の形態１における太陽光発電装置と基礎の連結説明図
【図１６】本発明の実施の形態１における根がらみ材の説明図
【図１７】本発明の実施の形態１における根がらみ材の説明図
【図１８】（ａ）本発明の実施の形態１における補強過程の説明図  （ｂ）本発明の実施の形態１における補強過程の説明図  （ｃ）本発明の実施の形態１における補強過程の説明図
【図１９】本発明の実施の形態１における田畑間移設用太陽光発電設備の斜視図
【図２０】（ａ）本発明の実施の形態１における基礎の撤去過程説明図  （ｂ）本発明の実施の形態１における基礎の撤去過程説明図
【図２１】本発明の実施の形態１における枠体の取付説明図
【図２２】（ａ）本発明の実施の形態２における枠体の取付説明図  （ｂ）本発明の実施の形態２における枠体の取付説明図  （ｃ）本発明の実施の形態２における枠体の取付説明図
【図２３】本発明の実施の形態１における農地のレイアウト図
【図２４】（ａ）本発明の実施の形態３における基礎プレートの平面図  （ｂ）本発明の実施の形態３における基礎プレートの斜視図
【図２５】（ａ）本発明の実施の形態３における桝の平面図  （ｂ）本発明の実施の形態３における桝の正面図  （ｃ）本発明の実施の形態３におけるタンクの平面図
【図２６】（ａ）本発明の実施の形態３における桝の正面図  （ｂ）本発明の実施の形態３におけるタンクの正面図  （ｃ）本発明の実施の形態３における給水状態を示す側面図
【符号の説明】
【０１８６】
１  太陽電池パネル
２  枠体
２ａ、２ｂ  ヒンジ
３、５  折り畳みフレーム
６、７  方杖
６ａ、７ａ  係止部
３１  底辺
３２  筋交い掛け
３３  短辺
３４  長辺
３５  起立片
３６  内側長辺
３７、３８  補強リング
３９  根がらみ材止め
４０  突片
４０ａ  クサビ孔
４１、４２  補強材
４１ａ  平行部
４３  縦ベルト
４３ａ  ベルト通し
４３ｂ  フック
４４  外延縦ベルト
４４ａ  挿通ベルト
４５  横ベルト
６０  タンク
６１  底面
６２、１０４、１０５  把手
６２ａ  上面
６３  隙間
６４  キャップ
６５  注ぎ口
６６  ワッシャ
７０、１００  基礎プレート
７１  板部
７２、７３  突条
７４、１０６  溝部
７５  掛け脚部
７６  かぎ脚部
８０  根がらみ材
８１  スリット
８３  補強材
８４  ターンバックル
８５  ワイヤ
８５  カラビナ
９０  農地
９１  レーキ
９２  小型重機
９３  地縄
９４  水準器
９５  通路
９６  トラクター
１０１  水平部
１０２  傾斜部
１０３、１１０  丸孔
１０７  桝
１０８  筒部
１０９  底板
１１１  雄ねじソケット
１１２  雌ねじキャップ
１１３  注水管
１１５  給水管
【図１８】
2015144555.tif 000003
【図１９】
2015144555.tif 000004
【図２４】
2015144555.tif 000005
【図２５】
2015144555.tif 000006
【図１】
2015144555.tif 000007
【図２】
2015144555.tif 000008
【図３】
2015144555.tif 000009
【図４】
2015144555.tif 000010
【図５】
2015144555.tif 000011
【図６】
2015144555.tif 000012
【図７】
2015144555.tif 000013
【図８】
2015144555.tif 000014
【図９】
2015144555.tif 000015
【図１０】
2015144555.tif 000016
【図１１】
2015144555.tif 000017
【図１２】
2015144555.tif 000018
【図１３】
2015144555.tif 000019
【図１４】
2015144555.tif 000020
【図１５】
2015144555.tif 000021
【図１６】
2015144555.tif 000022
【図１７】
2015144555.tif 000023
【図２０】
2015144555.tif 000024
【図２１】
2015144555.tif 000025
【図２２】
2015144555.tif 000026
【図２３】
2015144555.tif 000027
【図２６】
2015144555.tif 000028